(57)【要約】【課題】インターネット上のＳＮＳを活用した事業者向けの情報提供サービスにより、関係者全てに利益をもたらす。【解決手段】事業者サーバとＳＮＳサーバとにネットワークで接続され、各ＳＮＳサーバから各ＳＮＳサーバで登録されている各ユーザの嗜好情報を受信する手段と、ユーザごとに各ＳＮＳサーバで登録されている嗜好情報を集約する手段と、ユーザごとに集約された嗜好情報を事業者サーバに送信する手段とを有する管理サービスサーバ。【選択図】図１
2012038018.tif 000002
【特許請求の範囲】
【請求項１】
事業者サーバとＳＮＳサーバとにネットワークで接続され、各ＳＮＳサーバから各ＳＮＳサーバで登録されている各ユーザの嗜好情報を受信する手段と、ユーザごとに各ＳＮＳサーバで登録されている嗜好情報を集約する手段と、ユーザごとに集約された嗜好情報を事業者サーバに送信する手段とを有する管理サービスサーバであって、
前記事業者サーバは、広告コンテンツ情報を記憶する手段と、管理サービスサーバから、ユーザごとに集約された嗜好情報を受信する手段と、広告コンテンツ情報と、ユーザごとに集約された嗜好情報とに基づいて、各ユーザの嗜好に適う商品の広告コンテンツを選ぶ手段と、各ＳＮＳサーバに、各ユーザの嗜好に適う商品の広告コンテンツを送信する手段とを有し、
前記ＳＮＳサーバは、該ＳＮＳサーバで登録されている各ユーザの嗜好情報を管理サービスサーバに送信する手段と、事業者サーバから、各ユーザの嗜好に適う商品の広告コンテンツを受信する手段と、端末から送信される情報に基づいてユーザの本人認証を行なう手段と、本人認証で本人と確認したユーザの嗜好に適う商品の広告コンテンツを該端末に表示させる手段とを有することを特徴とする管理サービスサーバ。
【請求項２】
事業者サーバとＳＮＳサーバとにネットワークで接続される管理サービスサーバが実行し、各ＳＮＳサーバから各ＳＮＳサーバで登録されている各ユーザの嗜好情報を受信する工程と、ユーザごとに各ＳＮＳサーバで登録されている嗜好情報を集約する工程と、ユーザごとに集約された嗜好情報を事業者サーバに送信する工程とを含む管理サービス方法であって、
前記事業者サーバは、広告コンテンツ情報を記憶する工程と、管理サービスサーバから、ユーザごとに集約された嗜好情報を受信する工程と、広告コンテンツ情報と、ユーザごとに集約された嗜好情報とに基づいて、各ユーザの嗜好に適う商品の広告コンテンツを選ぶ工程と、各ＳＮＳサーバに、各ユーザの嗜好に適う商品の広告コンテンツを送信する工程とを含む方法を実行し、
前記ＳＮＳサーバは、該ＳＮＳサーバで登録されている各ユーザの嗜好情報を管理サービスサーバに送信する工程と、事業者サーバから、各ユーザの嗜好に適う商品の広告コンテンツを受信する工程と、端末から送信される情報に基づいてユーザの本人認証を行なう工程と、本人認証で本人と確認したユーザの嗜好に適う商品の広告コンテンツを該端末に表示させる工程とを含む方法を実行することを特徴とする管理サービス方法。
【請求項３】
事業者サーバとＳＮＳサーバとにネットワークで接続される管理サービスサーバに、各ＳＮＳサーバから各ＳＮＳサーバで登録されている各ユーザの嗜好情報を受信する工程と、ユーザごとに各ＳＮＳサーバで登録されている嗜好情報を集約する工程と、ユーザごとに集約された嗜好情報を事業者サーバに送信する工程とを実行させる管理サービスプログラムであって、
前記事業者サーバは、プログラムにより、広告コンテンツ情報を記憶する工程と、管理サービスサーバから、ユーザごとに集約された嗜好情報を受信する工程と、広告コンテンツ情報と、ユーザごとに集約された嗜好情報とに基づいて、各ユーザの嗜好に適う商品の広告コンテンツを選ぶ工程と、各ＳＮＳサーバに、各ユーザの嗜好に適う商品の広告コンテンツを送信する工程とを実行し、
前記ＳＮＳサーバは、プログラムにより、該ＳＮＳサーバで登録されている各ユーザの嗜好情報を管理サービスサーバに送信する工程と、事業者サーバから、各ユーザの嗜好に適う商品の広告コンテンツを受信する工程と、端末から送信される情報に基づいてユーザの本人認証を行なう工程と、本人認証で本人と確認したユーザの嗜好に適う商品の広告コンテンツを該端末に表示させる工程とを実行することを特徴とする管理サービスプログラム。
【発明の詳細な説明】
【技術分野】
【０００１】
本発明は、管理サービスサーバ、方法、及びプログラムに関する。
【背景技術】
【０００２】
従来から、放送を利用して送信された広告データを、利用者に提示するにあたり、受信時期並びに利用者の受信位置及び嗜好それぞれについての選択基準を設定しておき、受信した広告データのうち、各前記選択基準を満たす広告データを選択して、受信広告データベースに登録し、前記受信広告データベースに登録されている広告データを、再生時期並びに前記利用者の再生位置及び嗜好に基づいて、時期、位置及び嗜好について評価し、評価の高い順に抽出して、前記利用者に提示することを特徴とする広告方法が公知である（例えば特許文献１参照）。
【０００３】
しかしながら、この広告方法では、利用者の嗜好に適った広告が提示されるものの、広告受信機という特別な受信機が必要となり、利用者に負担を強いる。
【０００４】
また従来から、限られたユーザだけが参加できるＷＥＢサイトの会員制サービスであって、ソーシャルネットワーキングサービス（Ｓｏｃｉａｌ  Ｎｅｔｗｏｒｋｉｎｇ  Ｓｅｒｖｉｃｅ）と呼ばれ、またＳＮＳと略称されるものが知られている。
【０００５】
しかしながら、現在、インターネット上のＳＮＳを活用した事業者向けの情報提供サービスは、行なわれていない。
【先行技術文献】
【特許文献】
【０００６】
【特許文献１】特開２００１−１３４５８１号公報
【発明の概要】
【発明が解決しようとする課題】
【０００７】
本発明は斯かる背景技術に鑑みてなされたもので、インターネット上のＳＮＳを活用した事業者向けの情報提供サービスにより、関係者全てに利益をもたらすことを課題とする。
【課題を解決するための手段】
【０００８】
本発明において上記課題を解決するために、まず請求項１の発明では、
事業者サーバとＳＮＳサーバとにネットワークで接続され、各ＳＮＳサーバから各ＳＮＳサーバで登録されている各ユーザの嗜好情報を受信する手段と、ユーザごとに各ＳＮＳサーバで登録されている嗜好情報を集約する手段と、ユーザごとに集約された嗜好情報を事業者サーバに送信する手段とを有する管理サービスサーバであって、
前記事業者サーバは、広告コンテンツ情報を記憶する手段と、管理サービスサーバから、ユーザごとに集約された嗜好情報を受信する手段と、広告コンテンツ情報と、ユーザごとに集約された嗜好情報とに基づいて、各ユーザの嗜好に適う商品の広告コンテンツを選ぶ手段と、各ＳＮＳサーバに、各ユーザの嗜好に適う商品の広告コンテンツを送信する手段とを有し、
前記ＳＮＳサーバは、該ＳＮＳサーバで登録されているユーザの嗜好情報を管理サービスサーバに送信する手段と、事業者サーバから、各ユーザの嗜好に適う商品の広告コンテンツを受信する手段と、端末から送信される情報に基づいてユーザの本人認証を行なう手
段と、本人認証で本人と確認したユーザの嗜好に適う商品の広告コンテンツを該端末に表示させる手段とを有することを特徴とする管理サービスサーバとしたものである。
【０００９】
また請求項２の発明では、
事業者サーバとＳＮＳサーバとにネットワークで接続される管理サービスサーバが実行し、各ＳＮＳサーバから各ＳＮＳサーバで登録されている各ユーザの嗜好情報を受信する工程と、ユーザごとに各ＳＮＳサーバで登録されている嗜好情報を集約する工程と、ユーザごとに集約された嗜好情報を事業者サーバに送信する工程とを含む管理サービス方法であって、
前記事業者サーバは、広告コンテンツ情報を記憶する工程と、管理サービスサーバから、ユーザごとに集約された嗜好情報を受信する工程と、広告コンテンツ情報と、ユーザごとに集約された嗜好情報とに基づいて、各ユーザの嗜好に適う商品の広告コンテンツを選ぶ工程と、各ＳＮＳサーバに、各ユーザの嗜好に適う商品の広告コンテンツを送信する工程とを含む方法を実行し、
前記ＳＮＳサーバは、該ＳＮＳサーバで登録されているユーザの嗜好情報を管理サービスサーバに送信する工程と、事業者サーバから、各ユーザの嗜好に適う商品の広告コンテンツを受信する工程と、端末から送信される情報に基づいてユーザの本人認証を行なう工程と、本人認証で本人と確認したユーザの嗜好に適う商品の広告コンテンツを該端末に表示させる工程とを含む方法を実行することを特徴とする管理サービス方法としたものである。
【００１０】
また請求項３の発明では、
事業者サーバとＳＮＳサーバとにネットワークで接続される管理サービスサーバに、各ＳＮＳサーバから各ＳＮＳサーバで登録されている各ユーザの嗜好情報を受信する工程と、ユーザごとに各ＳＮＳサーバで登録されている嗜好情報を集約する工程と、ユーザごとに集約された嗜好情報を事業者サーバに送信する工程とを実行させる管理サービスプログラムであって、
前記事業者サーバは、プログラムにより、広告コンテンツ情報を記憶する工程と、管理サービスサーバから、ユーザごとに集約された嗜好情報を受信する工程と、広告コンテンツ情報と、ユーザごとに集約された嗜好情報とに基づいて、各ユーザの嗜好に適う商品の広告コンテンツを選ぶ工程と、各ＳＮＳサーバに、各ユーザの嗜好に適う商品の広告コンテンツを送信する工程とを実行し、
前記ＳＮＳサーバは、プログラムにより、該ＳＮＳサーバで登録されているユーザの嗜好情報を管理サービスサーバに送信する工程と、事業者サーバから、各ユーザの嗜好に適う商品の広告コンテンツを受信する工程と、端末から送信される情報に基づいてユーザの本人認証を行なう工程と、本人認証で本人と確認したユーザの嗜好に適う商品の広告コンテンツを該端末に表示させる工程とを実行することを特徴とする管理サービスプログラムとしたものである。
【発明の効果】
【００１１】
ユーザにとっては、ユーザの嗜好に適う商品を容易に購入できる。
【００１２】
また事業者サーバを運用する事業者は、個々ユーザに対して、個々ユーザの嗜好に適う商品の広告を確実に打ち、売上を向上できる。
【００１３】
また管理サービスサーバを運用する業者は、事業者から、ユーザごとに集約された嗜好情報の提供料を得ることができる。
【００１４】
またＳＮＳサーバを運用するＳＮＳ業者は、事業者から広告収入が得られる。
【００１５】
従って、本発明は、インターネット上のＳＮＳを活用した事業者向けの情報提供サービスにより、関係者全てに利益をもたらすことができるという効果がある。
【図面の簡単な説明】
【００１６】
【図１】本発明に係るハードウェアの構成を示す図。
【図２】ユーザ情報の一例を示す図。
【図３】ユーザ情報の他の一例を示す図。
【図４】集約ユーザ情報の一例を示す図。
【図５】広告コンテンツ情報の一例を示す図。
【図６】ユーザ別広告コンテンツ情報の一例を示す図。
【図７】ユーザの嗜好に適う商品の広告コンテンツを提供するために行われる処理の流れの例を示すフローチャート。
【図８】入力されたユーザＩＤに対応する広告コンテンツを表示させた画面の一例を示す図。
【発明を実施するための形態】
【００１７】
以下に、本発明の一実施形態を説明する。
【００１８】
本発明には、図１に示すように、端末１、ＳＮＳサーバ３、管理サービスサーバ６、事業者サーバ９が係る。
【００１９】
ＳＮＳサーバ３は、ＳＮＳ運営者が運用し、ユーザにＳＮＳを提供するものであり、事業者サーバ９は、事業者が運用するものであり、管理サービスサーバ６は、ＳＮＳ業者、事業者以外の第三者の業者が運用するものであり、また、端末１は、ユーザが使用するものである。
【００２０】
管理サービスサーバ６は、ネットワーク５で、ＳＮＳサーバ３と接続し、ネットワーク８で、事業者サーバ９に接続する。
【００２１】
また事業者サーバ９は、データベース１０を有し、ネットワーク１１でＳＮＳサーバ３と接続する。
【００２２】
またＳＮＳサーバ３は、データベース４を有し、ネットワーク２で、端末１に接続される。
【００２３】
図１には、描画を単純化するために、端末、ＳＮＳサーバ、事業サーバは、それぞれ１つしか描いていないが、もちろん、それぞれ複数存在しても良い。
【００２４】
各ＳＮＳサーバのデータベースには、少なくとも、ユーザ情報が登録される。
【００２５】
ユーザ情報は、図２及び３に示すように、メールアドレス、ユーザＩＤ、パスワード、嗜好情報、ＳＮＳサーバ情報からなる。
【００２６】
以下に、ユーザ情報における、メールアドレス、ユーザＩＤ、パスワード、嗜好情報、ＳＮＳサーバ情報を、この順に説明する。
【００２７】
メールアドレスは、ユーザのメールアドレスであって、個々のＳＮＳサーバの枠を越え、インターネット上でユーザを識別するＩＤでもある。
【００２８】
ユーザＩＤは、ＳＮＳサーバで、ユーザを会員として識別するＩＤで、ＳＮＳサーバにログインする際に入力が求められるものであって、ＳＮＳサーバごとに異なり得るものである。
【００２９】
パスワードは、ＳＮＳサーバにログインする際に、本人認証をするために、ユーザＩＤと一緒に、入力が求められるものであって、ＳＮＳサーバごとに異なり得るものである。
【００３０】
嗜好情報は、ユーザの嗜好を表す情報であって、ＳＮＳサーバごとに異なっても良い。
【００３１】
ＳＮＳサーバ情報は、ＳＮＳサーバを識別する情報である。
【００３２】
各ＳＮＳサーバのデータベースに登録されているユーザ情報を、パスワードを除いて、メールアドレスごとに集約したものを、集約ユーザ情報と呼ぶことにする。
【００３３】
図２及び３に示すユーザ情報を、パスワードを除いて、メールアドレスごとに集約した集約ユーザ情報を、図４に示す。
【００３４】
集約ユーザ情報は、図４に示すように、ＮをＳＮＳサーバの数、ｉを１からＮまでの自然数として、メールアドレス、嗜好情報、ユーザＩＤｉ、ＳＮＳサーバ情報ｉからなる。
【００３５】
以下に、集約ユーザ情報における、ＳＮＳサーバ情報ｉ、ユーザＩＤｉ、嗜好情報、メールアドレスを、この順に説明する。
【００３６】
ＳＮＳサーバ情報ｉは、集約元のＳＮＳサーバを識別する情報である。
【００３７】
ユーザＩＤｉは、ＳＮＳサーバ情報ｉで識別されるＳＮＳサーバにおいて、ユーザを会員として識別するＩＤである。
【００３８】
嗜好情報は、ＳＮＳサーバ情報ｉで識別されるＳＮＳサーバのデータベースに登録されているユーザ情報について、メールアドレスごとに、嗜好情報を、ｉ＝１からｉ＝Ｎまで集約したものである。
【００３９】
メールアドレスは、ユーザのメールアドレスである。
【００４０】
各事業者サーバのデータベースには、少なくとも、広告コンテンツ情報が登録される。
【００４１】
広告コンテンツ情報は、図５に示すように、Ｍを広告コンテンツの数、ｊを１からＭまでの自然数として、広告コンテンツｊで識別される広告コンテンツと、その広告コンテンツを識別する広告コンテンツｊとからなる。
【００４２】
また、広告コンテンツ情報に基づいて、集約ユーザ情報において、嗜好情報に適う商品の広告コンテンツを選んで、この嗜好情報を、この広告コンテンツに置換えたものを、ユーザ別広告コンテンツ情報と呼ぶことにする。
【００４３】
図５に示す広告コンテンツ情報に基づいて、図４に示す集約ユーザ情報において、嗜好情報に適う商品の広告コンテンツを選んで、この嗜好情報を、この広告コンテンツに置換えたユーザ別広告コンテンツ情報を、図６に示す。
【００４４】
以下、ユーザの嗜好に適う商品の広告コンテンツを提供するために行われる処理の流れの例を、図７に示すフローチャートに従って説明する。
【００４５】
Ｓ（ＳＴＥＰ）１；
ユーザが、端末にて、ＳＮＳの会員登録画面を表示させ、この会員登録画面で、メールアドレス、ユーザＩＤ、パスワード、嗜好情報を入力すると、端末は、入力されたメールアドレス、ユーザＩＤ、パスワード、嗜好情報を、ＳＮＳサーバに送信する。
【００４６】
Ｓ（ＳＴＥＰ）２；
ＳＮＳサーバは、端末から、入力されたメールアドレス、ユーザＩＤ、パスワード、嗜好情報を受信し、ＳＮＳサーバを識別するＳＮＳサーバ情報と一緒にして、ユーザ情報として、データベースに登録する。
【００４７】
Ｓ（ＳＴＥＰ）３；
ＳＮＳサーバは、データベースから、パスワードを除くユーザ情報を読み出して、管理サーバに送信する。
【００４８】
Ｓ（ＳＴＥＰ）４；
管理サービスサーバは、各ＳＮＳサーバから、パスワードを除くユーザ情報を受信する。
【００４９】
Ｓ（ＳＴＥＰ）５；
管理サービスサーバは、各ＳＮＳサーバから受信したパスワードを除くユーザ情報を集約して、集約ユーザ情報を生成する。
【００５０】
Ｓ（ＳＴＥＰ）６；
管理サービスサーバは、集約ユーザ情報を、各事業者サーバに送信する
【００５１】
Ｓ（ＳＴＥＰ）７；
各事業者サーバは、管理サービスサーバから集約ユーザ情報を受信する。
【００５２】
Ｓ（ＳＴＥＰ）８；
各事業者サーバは、データベースに登録している広告コンテンツ情報に基づいて、管理サービスサーバから受信した集約ユーザ情報において、嗜好情報に適う商品の広告コンテンツを選んで、この嗜好情報を、この広告コンテンツに置換えて、ユーザ別広告コンテンツ情報を生成する。
【００５３】
Ｓ（ＳＴＥＰ）９；
各事業者サーバは、ユーザ別広告コンテンツ情報に基づいて、各ＳＮＳサーバに、各ＳＮＳサーバにおけるユーザＩＤと、このユーザＩＤに対応する広告コンテンツとを送信する。
【００５４】
Ｓ（ＳＴＥＰ）１０；
各ＳＮＳサーバは、ユーザＩＤと、このユーザＩＤに対応する広告コンテンツとを受信する。
【００５５】
Ｓ（ＳＴＥＰ）１１；
ユーザは、端末にて、ＳＮＳのログイン画面を表示させ、このログイン画面で、ユーザＩＤ、パスワードを入力すると、端末は、入力されたユーザＩＤ、パスワードを、ＳＮＳサーバに送信する。
【００５６】
Ｓ（ＳＴＥＰ）１２；
ＳＮＳサーバは、端末から、入力されたユーザＩＤ、パスワードを受信して、これらがユーザ情報としてデータベースに登録しているかを確かめ、
登録しているなら、本人認証に成功したとして、ログインを認め、ＳＴＥＰ１２に進み、
登録していないのなら、本人認証に失敗したとして、ログインを認めず、ＥＮＤに進む。
【００５７】
Ｓ（ＳＴＥＰ）１３；
ＳＮＳサーバは、入力されたユーザＩＤに対応する広告コンテンツを画面の一部に表示するよう命じる命令を、端末に送信する。
【００５８】
Ｓ（ＳＴＥＰ）１４；
端末は、ＳＮＳサーバから、入力されたユーザＩＤに対応する広告コンテンツを画面の一部に表示するよう命じる命令を受信し、この命令に従って、図８に示すように、入力されたユーザＩＤに対応する広告コンテンツを画面の一部に表示する。
【符号の説明】
【００５９】
１…端末
２…ネットワーク
３…ＳＮＳサーバ
４…データベース
５…ネットワーク
６…管理サービスサーバ
８…ネットワーク
９…事業者サーバ
１０…データベース
１１…ネットワーク
【図１】
2012038018.tif 000003
【図２】
2012038018.tif 000004
【図３】
2012038018.tif 000005
【図４】
2012038018.tif 000006
【図５】
2012038018.tif 000007
【図６】
2012038018.tif 000008
【図７】
2012038018.tif 000009
【図８】
2012038018.tif 000010